(57)【要約】      （修正有）【課題】シートベルトの所要部位に所要の長さで簡便に切断して貼着でき、且極めて安価に擦れ防止の可能なシートベルトの擦れ防止テープを提供する。【解決手段】柔軟で薄肉な合成樹脂フィルムからなる基材１の表面に、綿や麻、毛若しくは絹からなる天然繊維素材を所要の長さに切断したチョップドストランドが、接着剤を介し植毛若しくは添着された擦れ防止層２が形成され、且基材の裏面にはシートベルトと自在に貼着剥除できる粘着層３が形成され、且その外面に剥離シートが接合されたうえ所要の幅と長さのロール状に巻回された構造のシートベルトの擦れ防止テープ。【選択図】図３
0003105293.tif 000002
【実用新案登録請求の範囲】
【請求項１】
柔軟で薄肉な合成樹脂フィルムからなる基材の表面には、綿や麻、毛若しくは絹からなる天然繊維を所要の長さに切断してなるチョップドストランドが接着剤を介して植毛若しくは添着された擦れ防止層が形成され、且基材の裏面にはシートベルトと自在に貼着剥除可能な粘着層が形成され且その外面に剥離紙若しくは剥離フィルムからなる剥離シートを接合させたうえ、所要の幅と長さのロール状に巻回された構造のシートベルト用擦れ防止テープ。
【請求項２】
シートベルト用擦れ防止テープの長さ方向に適宜長さに切断可能なよう所要間隔毎に切断ミシンホールが形成されてなる、請求項１記載のシートベルト用擦れ防止テープ。
【請求項３】
シートベルトの両側端が挟入しえる幅のフランジ部を有する貼着用ボビンに所要の長さで巻回されてなる、請求項１若しくは請求項２記載のシートベルト用擦れ防止テープ。
【考案の詳細な説明】
【技術分野】
【０００１】  本考案は自動車のシートベルトによる衣服類の擦れ防止を図るために、シートベルトに貼着して使用するシートベルトの擦れ防止テープに関するものである。
【背景技術】
【０００２】  今日の自動車社会のもとでは業務のための自動車利用はもとより、通勤や通学或いは日常生活においても自動車が積極的に利用されており、特に公共交通手段の未整備な地方や農村、漁村においては自動車の利用は不可欠のものとされている。【０００３】  ところで自動車の利用に際しては安全のためにシートベルトの着用が義務づけられているものの、他方において我が国の生活水準の向上に伴い衣服や着物等も高品質高価のものが多用されるに至っており、営業担当者を初め接客業務やサービス業務に携る者等はとりわけ高価な衣服や着物等を着用しており、更には一般生活者においても冠婚葬祭やショッピング、観劇等に際しては高級、豪華な衣服や着物等が着用される実情にある。【０００４】  而して現状のシートベルトは図６に示すように衝突等に際して運転者や搭乗者が座席から転動し或いは車外に放りだされぬよう、ナイロンやポリエステル等の強靭な合成繊維を高密度に且細幅状に織成して高強力低伸度で且剛硬なシートベルト材Ａとなしたうえ、このシートベルト材Ａを巻取巻出し出来る巻取ロールＢを車体の座席下部位に設置させ、且この巻取ロールＢより延出させたシートベルト材Ａを車内上部に設置させた張設ガイドＣを経由させ、運転者や搭乗者の一方側肩部より他方側腰部に亘って張設されるよう、反対側車輌座席下部位に係止固定具Ｄが設置され、この係止固定具Ｄにシートベルト材Ａをスライド可能な係止金具Ｅを係合させて係止固定させる構成からなるものである。【０００５】  これがため運転者や搭乗者が該シートベルトを着用した場合には、強靭且剛硬なシートベルト材Ａが肩部や腹部或いは腰部に加圧密着した状態で張設固定されるため、走行時の揺れや振動或いは発進や急停車の応力付加時、更には運転者や搭乗者自身の動作力の付加等により綿や麻、毛若しくは絹等柔軟で耐磨耗性にも弱い天然繊維素材で形成された衣服や着物等が強靭で剛硬なシートベルト材Ａと擦れを発生し、衣服や着物にテカリや色斑或いは手羽立ち等が惹起されて、高価な衣服や着物の価値が短時に滅失される結果となる。【０００６】  かかる問題に対処するものとして、シートベルトが挿通可能で且柔軟な素地を用いた袋体を装着させて、シートベルトと衣服や着物面との直接的接触を回避させ擦れ防止を図るシートベルトカバーなるものが開示されてなるものの、袋体を包着挿通させる手段は使用時における滑動によりズレが生ずるばかりか、衣服や着物等との接触面が嵩張って使用感が極めて悪く、更にはシートベルトの着脱時にシートベルトと共に巻取ロールへの巻込みによる収納故障が多発すること、及び使用に際しての包着挿通作業が面倒なこと等により実用化されるに至っていない。
【特許文献１】  特開２００２−１３７７１３号  公報
【特許文献２】  実開平６−０２７３８２号  公報
【特許文献３】  実開平７−０２７９６６号  公報
【０００７】  考案者はかかる実情に鑑み研究を重ねた結果、シートベルトの着用に際して該シートベルトの衣服や着物等の接触側面に、衣服や着物を形成する素材と同等の硬さ及び耐磨耗性の素材を用い、且摩擦抵抗を低減させるための植毛若しくは添着による擦れ防止層を形成させ、而もこの擦れ防止層を粘着剤によりシートベルトに適宜長さで貼着させることにより、上述の問題が解決しえることを究明し本考案に至った。
【考案の開示】
【考案が解決しようとする課題】
【０００８】  本考案はシートベルト着用に際して所要部位に所要の長さで簡便に切断し貼着でき且極めて安価に擦れ防止を図ることの可能なシートベルトの擦れ防止テープを提供することにある。
【課題を解決するための手段】
【０００９】  上述の課題を解決するため、本考案はシートベルトの安全性や操作性を損うことなく、且取扱いが簡便で安価に擦れ防止を図るため、基材として柔軟で肉薄の合成樹脂フィルムが用いられる。
そしてこの基材の表面にはシートベルトの着用に際して衣服や着物等との強度の張設においても磨耗や摩損を発生させぬうえから、衣服や着物の形成素材たる綿や麻、毛若しくは絹等天然繊維素材と同等の硬さや耐磨耗性を有し、而も衣服や着物との摩擦柢抗を少ならしめてその保護を図るうえから、綿や麻、毛若しくは絹からなる天然繊維を用いてチョップドストランドとなしたるうえ、柔軟性を有する接着剤を用いて該チョップドストランドを植毛させ若しくは所要の厚さに添着させて擦れ防止層が形成されている。【００１０】  更に基材の裏面にはシートベルトの着用に際して所要の部位に所要の長さを以って簡便に貼着し、若しくは剥除しえるよう粘着剤が塗着された粘着層が形成されており、且貼着に際して粘着層が不用意な粘着障害を発生せぬよう防止するため、該粘着層の外面には剥離紙若しくは剥離フィルムからなる剥離シートが挟持されたうえ所要の幅と長さのロール状に巻回された構造からなるシートベルトの擦れ防止テープに存する。【００１１】  加えて使用に際して、僅かな引裂力の付加により適宜の長さに切断し貼着ができるよう、所要の間隔毎に横方向に切断ミシンホールが形成されてなる構造、及びシートベルトの貼着に際して貼着されるシートベルトの両側端が挟入しえる幅のフランジ部を有する貼着用ボビンに所要の長さで巻回されてなる構造に存する。
【考案の効果】
【００１２】  本考案は上述のような手段を用いてなるため全体が極めて柔軟なうえ薄肉のものであるから、貼着された場合にもシートベルト自体の張設や着脱時の捲出しや捲取り等の操作に何等の支障も無く使用できるとともに、剥離シートを剥しながらシートベルト上の所要部位に所要の長さで極めて簡便に貼着でき、更に基材に所要間隔を以ってミシンホールを形成させたものでは、僅かな引裂力を付加するのみで所要長さに簡単に切断ができる。
而も貼着用ボビンに巻回させたものでは、シートベルトを該貼着用ボビンのフランジ部間に挟入させながら貼着させることにより、シートベルト幅に適合した貼着がなしえ且使用後は容易に剥除も可能となる。【００１３】  そしてシートベルトに貼着させた本考案の表面には、シートベルトとの擦れにより磨耗や摩損を被る衣服や着物を形成する綿や麻、毛若しくは絹等と同等の硬さや耐磨耗性を有する綿や麻、毛若しくは絹からなる天然繊維素材を用い、且この天然繊維素材を微細長に切断してチョップドストランドとなし、柔軟な接着剤により植毛させ若しくは添着させた擦れ防止層が形成されてなるから、シートベルト着用時に強度の張設により衣服や着物と接触し擦れが生じても擦れ防止層の硬さや耐磨耗性が衣服や着物と同等であり且摩擦抵抗も著しく小さくなるため、衣服や着物のテカリや色調の変化或いは起毛等の発生が防止される。而も本考案は柔軟で肉薄なため貼着使用に際して嵩張りもないため著しく使用感に優れる等、本考案は新規で且多くの特長を具備するシートベルトの擦れ防止テープである。
【考案を実施するための最良の形態】
【００１４】  柔軟で肉薄な合成樹脂フィルムの表面には、綿や麻、毛若しくは絹からなる天然繊維のチョップドストランドを接着剤を介して植毛若しくは添着して擦れ防止層が形成され、且基材の裏面に粘着層が形成され且その外面に剥離シートが接合されたうえ、所要の幅及び長さのロール状に巻回された構造のシートベルトの擦れ防止テープ。
【実施例１】
【００１５】  以下に本考案実施例を図とともに説明すれば図１は植毛による擦れ防止層からなる本考案の拡大断面説明図であって、基材１は本考案がシートベルトに貼着されて使用されることから、シートベルトの操作性を阻害させず且貼着使用に際し嵩高により使用感を損わぬこと、及びその表面に擦れ防止層２並びにその裏面に粘着層３を塗着形成させる必要上から、該基材１としては合成樹脂フィルムが好都合であって、とりわけ柔軟性と塗着性に優れるポリウレタン系やポリアミド系若しくはポリビニルアルコール系合成樹脂フィルムが望ましい。加えてこれらの合成樹脂フィルムの厚さとしては、その強力にもよるが薄いものでは略０．０３乃至０．０５ｍｍ厚いものでもせいぜい０．１乃至０．３ｍｍ程度のものが使用される。【００１６】  そしてこの選択された基材１の表面、所謂シートベルトに貼着されて使用される場合に運転者や搭乗者の衣服や着物等との接触側面には、自動車の揺れや振動、加速や減速若しくは停車時の重力付加或いは運転者搭乗者の動作等により衣服や着物との接触面に摩擦が生じた場合にも、衣服や着物に摩損を生じさせぬような硬さの素材で、且摩擦抵抗を変形緩和若しくは吸収緩和できる表面構造のものが好適である。【００１７】  これがため基材１の表面に柔軟な塗膜２Ａを形成しえる接着剤を用いて、綿や麻、毛若しくは絹から選ばれる所謂衣服や着物を形成する素材と同等の硬さや耐磨耗性を保持する天然繊維素材を用い、且つこの天然繊維素材をその長さが略０．５乃至３．０ｍｍ程度に切断してチョップドストランドとなしたるうえ、このチョップドストランドを植毛２Ｂさせることにより、該植毛２Ｂに摩擦抵抗が付加された場合に変形緩和若しくは吸収緩和させて、実質的に衣服や着物の摩損を防止しえる擦れ防止層２が形成される。【００１８】  かかる場合において柔軟な塗膜２Ａを形成しえる接着剤の具体的なものとしてはウレタン系接着剤や合成ゴム系接着剤が挙げられ、更にチョップドストランドの植毛２Ｂの具体的手段としては、接着剤が塗布された基材１を高電場の空間において静電気によりチョップドストランドを塗布面に分散塗着させるフロッキング加工が挙げられる。【００１９】  擦れ防止層２の形成には前記フロッキング加工の植毛２Ｂによる手段の他に、図２に示すように柔軟な接着剤が塗布された柔軟な塗膜２Ａ面に、前記チョップドストランドをその全面に亘って分散落下させて添着２Ｃさせたものも採用できるもので、かかる添着手段を具体的に例示すれば、基材１の表面に柔軟な接着剤を塗布し、柔軟な塗膜２Ａを形成させたうえ走行させながら、その上面からチョップドストランドを分散篩等により、その全面に亘って所要添着重量割合で分散落下させたうえ、加圧乾燥させて添着固定させる手段が挙げられる。
かかる場合に該添着手段においては通常使用するチョップドストランドとしては比較的短かいものが好適であり、且その添着重量割合は使用するチョップドストランドの素材やその長さによっても異なるが概ね５乃至３０ｇ／ｍ２が目安となり、而も当然に添着重量割合が多量となる場合には、柔軟な塗膜２Ａの塗布厚も厚めに塗布される。【００２０】  他方基材１の裏面には使用に際してシートベルト外面の所要部位に所要の長さを以って簡便に貼着させるため、粘着剤が塗着された粘着層３が形成されている。
この粘着層３は、貼着して使用する場合にシートベルトより剥れたりズレが発生しない程度に、且使用後や不用時に剥除できる程度の粘着力を有するものであれば特段に制約はないが、あまり粘着剤を多量に塗着させると形成された粘着層３の端縁から粘着剤が漏出し衣服や着物を汚損する危険も考えられるため、成可く薄い塗着で且漏出しにくい粘度のものが望ましい。そして粘着剤としてはこれら要件を具備するものであれば差し支えはなく一般的にウレタン系や合成ゴム系の粘着剤が好適である。【００２１】  かくして基材１の裏面に粘着層３が形成されたうえは、実用使用における扱い性やシートベルトへの簡便な貼着性のうえから、予めシートベルトの幅に合せて裁断のうえ所要の長さを以ってロール状に巻回させたものが好都合となる。
しかしながらロール状に巻回させた場合にチョップドストランドが植毛２Ｂされ若しくは添着されてなる擦れ防止層２と粘着層３とが積層巻回されることとなるため、擦れ防止層２に植毛２Ｂされ若しくは添着されたチョップドストランドが粘着層３と粘着し剥毛したり或いは貼着時の解巻に際し剥れ難くなり、貼着の簡便性が損われる結果となる。【００２２】  そこで粘着層３の外面には剥離紙若しくは剥離フィルムからなる剥離シート４を接合させたうえロール状に巻回させることにより図３に示す如き本考案シートベルトの擦れ防止テープ５が形成される。
かかる場合の剥離シート４も特段に制約は無く、貼着に際して擦れ防止層２と粘着層３とが容易に剥離できるものであれば差し支えなく、剥離紙としては紙の両側面に剥離剤を塗着した物や剥離フィルムをラミネートしたものも挙げられるが、ポリエチレンやポリプロピレンフィルムの如く接着剤や粘着剤に対し非接着性のフィルムを用いることが薄く且安価なうえから好都合である。【００２３】  ところで本考案シートベルトの擦れ防止テープ５は使用に際し所要部位に所要の長さで切断し貼着させるものであるが、基材１を形成する合成樹脂フィルムはその表面に擦れ防止層２を形成し且裏面には粘着層３を形成させるための加工に耐えうる強力や、貼着により実用使用時の摩擦抵抗が付加されても破断しない程度の強力を保持させるものであるから、切断する場合には鋏やカッター等の切断具が必要となる。
しかしながら自動車の運行は、業務ばかりか通勤や通学若しくはレジャー、更には日常生活行動等の多様な状況で利用されるため、常に切断具を用意することは極めて面倒となる。【００２４】  そこでこの対処手段として図４に示すように、本考案シートベルトの擦れ防止テープ５の横方向に所要の間隔を以って、僅かな引裂力を付加させることにより切断が可能なよう切断ミシンホール５Ａを形成させるもので、貼着に際し所要の長さに対応する本考案シートベルトの擦れ防止テープ５の一側縁の切断ミシンホール５Ａに引裂力を付加させることで、簡単に切断が可能となる。
この切断ミシンホール５Ａは、使用する基材１や擦れ防止層２或いは剥離シート４等の強力や厚さ等を勘案してその孔径や穿孔間隔が具体的に決定されるが、一般的には孔径で略０．３乃至０．８ｍｍ程度、穿孔間隔としては略１乃至３ｍｍ程度が目安となる。【００２５】  更に本考案においては、使用に際してシートベルトの外面に貼着させるものであるが、シートベルトは強靭且剛硬に形成されてなる反面、本考案シートベルトの擦れ防止テープ５は柔軟性に富み且極めて肉薄で、而もその裏面の粘着層３により貼着をなすものであるから、貼着する長さが長くなると貼着ズレが生じシートベルト幅に整合した貼着が至難となる。【００２６】  これがためには図５に示す如く、シートベルトの両側端が挟入しえる間隔を以ってフランジ部６Ａ、６Ａを有する貼着用ボビン６を用い、該貼着用ボビン６に本考案シートベルトの擦れ防止テープ５を所要の長さに巻回させておくことにより、貼着に際して両フランジ部６Ａ、６Ａにシートベルトを挟入させ粘着層３の端縁をシートベルト外面に貼着させ、且剥離シート４を側面外方に剥離引き出しながら後方に移動させて行くことにより、シートベルト外面に整合した貼着がなされ、而も所要長さに貼着がなされた場合にその一側縁に引裂力を付与させることで容易に切断され且貼着がなされる。
【産業上の利用可能性】
【００２７】  本考案は基材の表面に天然繊維チョップドストランドを植毛し若しくは添着した擦れ防止層が形成され、且裏面には粘着層が形成されてなるため包装容器や輸送容器若しくは収納体の内部に自在に貼着でき、且表面の擦れ防止層が柔軟で且摩擦抵抗を変形緩和若しくは吸収緩和するため、皮革製品の如く損傷を受けやすいものやガラス工芸品等破損しやすい製品の緩衝材として利用ができる。
【図面の簡単な説明】
【００２８】
【図１】  擦れ防止層が植毛からなる本考案の拡大断面説明図である。
【図２】  擦れ防止層が添着からなる本考案の拡大断面説明図である。
【図３】  本考案の見取図である。
【図４】  切断ミシンホールが形成された本考案の説明図である。
【図５】  貼着用ボビンに巻回された本考案の見取図である。
【図６】  シートベルトの説明図である。
【符号の説明】
【００２９】    １    基材
２    擦れ防止層
２Ａ  柔軟な塗膜
２Ｂ  植毛
２Ｃ  添着
３    粘着層
４    剥離シート
５    本考案シートベルトの擦れ防止テープ
５Ａ  切断ミシンホール
６    貼着用ボビン
６Ａ  フランジ部
【図１】
0003105293.tif 000003
【図２】
0003105293.tif 000004
【図３】
0003105293.tif 000005
【図４】
0003105293.tif 000006
【図５】
0003105293.tif 000007
【図６】
0003105293.tif 000008